(57)【要約】【課題】  運転者が見易い位置でのＥＴＣシステムの課金に基づく料金情報の表示を可能とする車載用アナログメータを提供すること。【解決手段】  車載用アナログメータ１は、搭載された車両のメータ情報及び無線通信を利用した有料道路の課金システムの課金に基づく料金情報を切り替えて表示可能な水温計５と、水温計５への表示の切り替えを指示する切替ボタン８とを備え、切替ボタン８により料金情報の表示指示がなされた場合は、水温計５にメータ情報に替えて課金システムにおいて課金された料金の積算金額の情報を表示する。【選択図】      図２
2005157742.tif 000002
【特許請求の範囲】
【請求項１】
搭載された車両のメータ情報及び無線通信を利用した有料道路の課金システムの課金に基づく料金情報を切り替えて表示可能な表示部と、該表示部への表示の切り替えを指示する表示切替指示手段とを備え、
前記表示切替指示手段により前記料金情報の表示指示がなされた場合は、前記表示部に前記メータ情報に替えて前記課金システムにおいて課金された料金の積算金額の情報を表示することを特徴とする車載用アナログメータ。
【請求項２】
前記車両の外部から受信した課金料金信号に基づいて前記積算金額を算出する積算金額算出手段と、該積算金額算出手段により算出された前記積算金額を記録する積算金額記録手段とを備えたことを特徴とする請求項１に記載の車載用アナログメータ。
【請求項３】
前記表示部が水温計であり、水温情報の表示時と料金情報の表示時とでその目盛を共通とすることを特徴とする請求項１又は請求項２に記載の車載用アナログメータ。
【請求項４】
前記表示部は燃料計であり、燃料情報の表示時と料金情報の表示時とでその目盛を共通とすることを特徴とする請求項１又は請求項２に記載の車載用アナログメータ。
【発明の詳細な説明】
【技術分野】
【０００１】
本発明は、車両に搭載されて車速や走行距離等の種々のメータ情報を表示する車載用アナログメータに関する。
【背景技術】
【０００２】
近年、無線通信を利用して有料道路を通行する自動車等に通行料金の課金を行うシステムとして、自動料金収受システム（ＥＴＣ（登録商標）システム）が普及している。このＥＴＣシステムを利用する車両には、有料道路の料金所等に設けられたアンテナから通行料金の情報を受信し課金処理を行うためのＥＴＣ用車載器が搭載されていることがあるが、車両の運転者が課金された通行料金等の料金に関する情報（料金情報）を確認するために、従来より、このＥＴＣ用車載器が表示部を備え、この表示部に料金情報等を表示させるものが知られている（例えば、特許文献１参照）。
【特許文献１】特開平８−３０５９０８号公報
【発明の開示】
【発明が解決しようとする課題】
【０００３】
しかしながら、例えば特許文献１に記載のように、ＥＴＣ用車載器の表示部に料金情報を表示するようにすると、例えばＥＴＣ用車載器を運転者の足元近辺に設置した場合にはその表示が非常に見づらくなる。一方、表示の見易さを考慮すると、ＥＴＣ用車載器を運転者の正面近傍に設置する必要があるが、そうすると今度はＥＴＣ用車載器自体が運転者の視界を邪魔することにもなり、いずれにしても表示部の見易さと視界とのバランスを考えてＥＴＣ用車載器の設置位置を決める必要があり、その設置位置は非常に限定されたものとなる。
【０００４】
本発明は、このような問題に鑑みてなされたもので、運転者が見易い位置でのＥＴＣシステムの課金に基づく料金情報の表示を可能とする車載用アナログメータを提供することを課題としている。
【課題を解決するための手段】
【０００５】
このような課題を解決するために、請求項１に記載の発明は、搭載された車両のメータ情報及び無線通信を利用した有料道路の課金システムの課金に基づく料金情報を切り替えて表示可能な表示部と、該表示部への表示の切り替えを指示する表示切替指示手段とを備え、前記表示切替指示手段により前記料金情報の表示指示がなされた場合は、前記表示部に前記メータ情報に替えて前記課金システムにおいて課金された料金の積算金額の情報を表示することを特徴とする。
【０００６】
請求項２に記載の発明は、請求項１に記載の発明において、前記車両の外部から受信した課金料金信号に基づいて前記積算金額を算出する積算金額算出手段と、該積算金額算出手段により算出された前記積算金額を記録する積算金額記録手段とを備えたことを特徴とする。
【０００７】
請求項３に記載の発明は、請求項１又は請求項２に記載の発明において、前記表示部が水温計であり、水温情報の表示時と料金情報の表示時とでその目盛を共通とすることを特徴とする。
【０００８】
請求項４に記載の発明は、請求項１又は請求項２に記載の発明において、前記表示部は燃料計であり、燃料情報の表示時と料金情報の表示時とでその目盛を共通とすることを特徴とする。
【発明の効果】
【０００９】
本発明に係る車載用アナログメータは、搭載された車両のメータ情報及び無線通信を利用した有料道路の課金システムの課金に基づく料金情報を切り替えて表示可能な表示部と、該表示部への表示の切り替えを指示する表示切替指示手段とを備え、前記表示切替指示手段により前記料金情報の表示指示がなされた場合は、前記メータ情報に替えて前記課金システムにおいて課金された料金の積算金額の情報を表示することとしたので、簡単な操作を行うだけで積算金額の情報を運転者の正面で非常に見易い位置に表示することが可能となる。また、アナログ式であるため、特にプリペイドカードを使用した場合等は、積算金額と残高の目安が一瞥して把握でき、実用性に優れる。さらに、表示部をメータ情報と料金情報とを表示するものとして兼用しているため、料金情報を表示させるための専用の表示部をわざわざ設ける必要もなく、部品点数を少なくできコストの低減を図ることができるとともに、車載用アナログメータの正面面積を有効に活用することができる。
【発明を実施するための最良の形態】
【００１０】
以下、図面を参照して本発明の実施の形態について説明する。図１は本発明の実施の形態に係る車載用アナログメータを示す。この車載用アナログメータ１は、自動車の車両の運転席正面に設けられるアナログ式のコンビネーションメータである。車載用アナログメータ１は、その正面にスピードメータ２と、タコメータ３と、燃料計４と、水温計（表示部）５と、オドトリップメータ６と、インジケータ類７とを備え、車速、エンジンの回転数、燃料残量、エンジン冷却水の温度等の車両のメータ情報を表示するようになっている。
【００１１】
また、車載用アナログメータ１は、水温計５の表示モードとして、水温情報表示モードと、積算金額情報表示モードとを有し、この表示モードが切り替えられることによって、水温計５は、後述するＣＰＵ１４の制御に基づいて、図２（ａ）及び（ｂ）に示すように、水温情報表示モード下ではエンジン冷却水の温度の情報（水温情報）を、また積算金額情報表示モード下では自動料金収受システム（ＥＴＣ（登録商標）システム）の課金に基づく料金情報、より具体的にはＥＴＣシステムにおいて課金された通行料金の積算金額の情報（積算金額情報）をそれぞれ表示するようになっている。そして、運転者は車載用アナログメータ１の正面に設けられた切替ボタン（表示切替指示手段）８を押下することによって、この表示モードの切り替えを要求するようになっている。
【００１２】
水温計５は、その文字盤９に目盛１７、現在の表示モードやそのモードにおける目盛１７のスケール等を示す各表示モードに固有の表示文字１８等を備え、これらの目盛１７や表示文字１８は透光性を有している。そして、文字盤９の後方に設けられたバック照明（図示略）が文字盤９の裏面から目盛１７や表示文字１８を照射することによって、車載用アナログメータ１の正面からこれらの目盛１７や表示文字１８が視認されるようになっている。そして、指針１９がこの文字盤９の正面をステッピングモータ（図示略）によって駆動されて回動することにより、目盛１７や表示文字１８と協働して水温情報又は積算金額情報を示すようになっている。
【００１３】
水温計５の表示モードの切り替えに伴う表示文字１８の切り替えは、バック照明によって行われる。すなわち、現在の表示モードに対応する表示文字１８の方にバック照明が照射されるようにして、車載用アナログメータ１の正面からは現在の表示モードに対応する表示文字１８が視認されるようになっている。また、目盛１７は水温情報表示モード及び積算金額情報表示モードのいずれのときも共通となっている。
【００１４】
車載用アナログメータ１には、メータ全体の動作を制御するための図３に示すコントロールユニット１０が内蔵されている。このコントロールユニット１０は、車速信号、燃料信号及び水温信号を受信するためのインターフェース部であるＩ／Ｆ１１と、スピードメータ２、タコメータ３、燃料計４及び水温計５に指示信号を出力するためのインターフェース部であるＩ／Ｆ１２と、インジケータ類７のドライバー１３と、これらのＩ／Ｆ１１、Ｉ／Ｆ１２及びドライバー１３が接続されたＣＰＵ（積算金額算出手段）１４と、メモリ（積算金額記録手段）１５とを備えている。
【００１５】
ＣＰＵ１４は、制御プログラムに従って車載用アナログメータ１の各部の動作を制御する。具体的には、受信した車速信号、燃料信号、水温信号等に基づいてスピードメータ２、燃料計４、水温計５等の表示を制御したり、その他オドトリップメータ６やインジケータ類７の表示を制御したりする。また、ＣＰＵ１４は車両に搭載されたＥＴＣ車載器（図示略）に接続され、このＥＴＣ車載器を介して車両外部から受信したＥＴＣシステムの課金料金信号に基づいて課金された通行料金の積算金額を算出し、その積算金額情報をメモリ１５に記録させる。なお、このＥＴＣ車載器は、ＥＴＣ用のＩＣカードやプリペイドカードが挿入されるカードリーダ・ライタ（図示略）を備え、有料道路の料金所等に設けられたアンテナから通行料金の情報を受信し課金処理を行う機能を有している。
【００１６】
メモリ１５は、例えばＥＥＰＲＯＭ等であり、上述のとおりＣＰＵ１４が算出した積算金額の情報等を記録するようになっている。
【００１７】
図４は水温計５においてＣＰＵ１４が水温情報表示モード（水温情報の表示）と積算金額情報表示モード（料金情報の表示）とを切り替える際の表示モード切替制御を説明するフローチャートである。エンジン（図示略）がオン状態のとき、まず水温計５の表示モードが水温情報表示モードの下で、ＣＰＵ１４は、図２（ａ）に示すように、受信した水温信号に基づいて水温計５にエンジン冷却水の温度情報（水温情報）を表示させる（Ｓ１）。
【００１８】
そして、水温情報表示モード下において、切替ボタン８が押されたか否かを判断する（Ｓ２）。この水温情報表示モード下における切替ボタン８の押下は水温情報表示モードから積算金額情報表示モードへの表示モードの切替指示となっており、ステップＳ２において、切替ボタン８が押されたと判断した場合は、ＣＰＵ１４は水温計５の表示モードを積算金額情報表示モードに切り替え、図２（ｂ）に示すように、メモリ１５に記録されたＥＴＣシステムにおいて課金された通行料金の積算金額の情報（積算金額情報）を表示させる（Ｓ３）。
【００１９】
そして、積算金額情報表示モード下において、まず切替ボタン８が短押しされたか否かを判断する（Ｓ４）。この積算金額情報表示モード下における切替ボタン８の短押しは積算金額情報表示モードから水温情報表示モードへの表示モードの切替指示となっており、ステップＳ４において、切替ボタン８が短押しされたと判断した場合は、ＣＰＵ１４は水温計５の表示モードを水温情報表示モードに再度切り替える（Ｓ５）。
【００２０】
一方、ステップＳ４において、切替ボタン８が短押しされなかったと判断した場合は、積算金額情報表示モード下のままＣＰＵ１４は次に切替ボタン８が長押しされたか否かを判断する（Ｓ６）。積算金額情報表示モード下における切替ボタン８の長押しはメモリ１５に記録された積算金額を０としてリセットするリセット指示となっており、ステップＳ６において、切替ボタン８が長押しされたと判断した場合は、ＣＰＵ１４はメモリ１５に記録された積算金額情報をリセットし、水温計５に表示された積算金額を０として表示させる（Ｓ７）。そして、次のステップＳ８に移行する。または、ステップＳ６において、ＣＰＵ１４が切替ボタン８が長押しされなかったと判断した場合は、ステップＳ７を経ずに直接ステップＳ８に移行する。
【００２１】
ステップＳ８においては、ＣＰＵ１４はエンジン冷却水の温度（水温）に異常があるか否かを判断する。具体的には、水温の異常を判断するための一定のしきい値が予め設定されており、ＣＰＵ１４は受信した水温信号の水温がこのしきい値を超えた場合は異常と判断し、このしきい値を超えない場合は正常と判断する。
【００２２】
ステップＳ８において、ＣＰＵ１４が異常があると判断した場合は、ステップＳ５に移行する。これによって、積算金額情報表示モード下においても、エンジン冷却水の温度に異常がある場合は、自動的に水温情報表示モードに切り替わるようになっている。一方、異常がないと判断した場合は、ＣＰＵ１４は次にＥＴＣシステムにおける課金があるか否かを判断する（Ｓ９）。具体的には、課金料金信号を受信した場合はＣＰＵ１４は課金があると判断し、課金料金信号を受信しない場合は課金がないと判断する。
【００２３】
ステップＳ９において、課金があると判断した場合は、ＣＰＵ１４はその課金分の通行料金をメモリ１５に記録された積算金額にプラスし新たな積算金額情報として記録するとともに、水温計５に表示された積算金額を更新して新たな積算金額情報を表示させる（Ｓ１０）。そして、ステップＳ４に戻り、以降同様のステップを繰り返す。または、ステップＳ９において、ＣＰＵ１４が課金がないと判断した場合は、ステップＳ１０を経ずにそのままステップＳ４に戻り、以降一連のステップの流れを繰り返す。
【００２４】
一方、水温情報表示モード下におけるステップＳ２において切替ボタン８が押されなかったと判断した場合は、又は、ステップＳ５において積算金額情報表示モードから水温情報表示モードに再度切り替わった場合は、ＣＰＵ１４はＥＴＣシステムにおける課金があるか否かを判断する（Ｓ１１）。そして、ステップＳ１１において、課金があると判断した場合は、ＣＰＵ１４はその課金分の通行料金をメモリ１５に記録された積算金額にプラスし新たな積算金額情報として記録して（Ｓ１２）処理を終了する。または、ステップＳ１１において、ＣＰＵ１４が課金がないと判断した場合は、ステップ１２を経ずにそのまま処理を終了する。
【００２５】
このようにして、ＣＰＵ１４はエンジンがオフになるまで上述の一連のステップの流れを繰り返し、水温計５の表示モードとして水温情報表示モードと積算金額情報表示モードとを切り替えていく。
【００２６】
この実施の形態に係る車載用アナログメータ１では、エンジン冷却水の温度の情報（水温情報）とＥＴＣシステムにおいて課金された通行料金の積算金額の情報（積算金額情報）とを切り替えて表示可能な水温計５と、この表示の切り替えを指示する切替ボタン８とを備え、この切替ボタン８により積算金額情報の表示が指示された場合は、水温計５に積算金額情報を表示することとしたので、簡単な操作を行うだけで積算金額情報を運転者の正面で非常に見易い位置に表示することが可能となる。また、アナログ式であるため、特にプリペイドカードを使用した場合等は、積算金額と残高の目安が一瞥して把握でき、実用性に優れる。さらに、水温計５を積算金額情報を表示するものとして兼用しているため、積算金額情報を表示させるための専用の表示部をわざわざ設ける必要もなく、部品点数を少なくできコストの低減を図ることができるとともに、車載用アナログメータ１の正面面積を有効に活用することができる。
【００２７】
なお、本発明は上述した実施の形態に限られるものではなく、例えば水温計５の表示文字１８の切り替えはバック照明によって行われることとしたが、これに限られず、例えば自発光するものであってもよい。
【００２８】
また、本実施の形態では、目盛１７は水温情報表示モードと積算金額情報表示モードとで共通なものとしたが、例えば図５（ａ）（ｂ）に示すように、水温計２０の文字盤２３の正面左側の目盛２４を水温情報表示モード専用とし、正面右側の目盛２５を積算金額情報表示モード専用とする等それぞれ個別の目盛を設けてもよい。ただし、本実施の形態では、水温情報の表示時と積算金額情報の表示時とで目盛１７を共通としたので、外観上すっきりとして見栄えに優れる。
【００２９】
さらに、本実施の形態では、水温計５が水温情報と積算金額情報とを切り替えて表示可能であるとして説明したが、これに限られず、例えば燃料計４が燃料残量情報と積算金額情報とを切り替えて表示可能としてもよい。
【００３０】
また、車載用アナログメータ１はＥＴＣ用車載器と別体のものでありＥＴＣ用車載器に接続されるものとしたが、車載用アナログメータ１がＥＴＣ用車載器の機能、すなわち、ＥＴＣシステムに応じて有料道路の料金所等に設けられたアンテナから通行料金の情報を受信し課金処理を行う機能を備えるものとして、例えばＥＴＣ用車載器を内蔵したものであってもよい。
【００３１】
さらに、車載用アナログメータ１は自動車用に限られず、例えば二輪車であってもよい。
【図面の簡単な説明】
【００３２】
【図１】本実施の形態に係る車載用アナログメータを示す正面図である。
【図２】図１の車載用アナログメータの水温計の表示例を示す図であり、（ａ）は水温情報表示モードの場合を示し、（ｂ）は積算金額情報表示モードの場合を示す。
【図３】図１の車載用アナログメータのブロック図である。
【図４】水温計においてＣＰＵが水温情報表示モードと積算金額情報表示モードとを切り替える際の表示モード切替制御を説明するフローチャートである。
【図５】水温計の他の表示例を示す図であり、（ａ）は水温情報表示モードの場合を示し、（ｂ）は積算金額情報表示モードの場合を示す。
【符号の説明】
【００３３】
１          車載用アナログメータ
４          燃料計（表示部）
５          水温計（表示部）
８          切替ボタン（表示切替指示手段）
１４          ＣＰＵ（積算金額算出手段）
１５          メモリ（積算金額記録手段）
１７          目盛
【図１】
2005157742.tif 000003
【図２】
2005157742.tif 000004
【図３】
2005157742.tif 000005
【図４】
2005157742.tif 000006
【図５】
2005157742.tif 000007